【手続補正書】
【提出日】平成28年1月15日(2016.1.15)
【手続補正１】
【補正対象書類名】特許請求の範囲
【補正対象項目名】全文
【補正方法】変更
【補正の内容】
【特許請求の範囲】
【請求項１】
各個の荷物をそれぞれ一時置き保持する複数の個別置き領域を有し、該個別置き領域毎にそれぞれに配設される荷物を係留するためのチェーンロックと、各チェーンロックの施錠、解錠操作を可能とする操作部と、荷物の係留時間を管理する係留管理部とを備える係留保持装置によって荷物を一時的に係留保持可能に構成するに、
前記各個別置き領域は、設定する領域数に応じて、鉄道、空港等の通路、ロビーなどにおける共有スペースの所定個所の床面と壁面とを割り当てし、Ｌ字状の空間領域によって形成せしめ、
前記各個別置き領域に配設されるチェーンロックを、前記床面から所定の高さ位置となる前記壁面に並設すると共に、
前記隣接する個別置き領域同士は、各個別置き領域との間を区画することなく、相互の置き領域を共同利用可能に設定して、１の個別置き領域に係留された荷物を、隣接する個別置き領域にはみ出して係留することを許容し、旅行カバン、ゴルフバッグ、ベビーカーなどの大型荷物の係留を可能とすべく構成したことを特徴とする荷物の係留保持構造。
【請求項２】
請求項１において、前記チェーンロックは、それぞれに通し番号が付与されたケース体と、該ケース体に、基端側が固設され先端側に凹溝が形成された係止ボルトを有する係留チェーンと、ケース体の前面に形成された前記係止ボルトの差し込みし口と、該差し込み口に係止ボルトが差し込まれた際に、前記凹溝に係脱して係止ボルトを施錠・解錠するケース体内に設けられたロック部材と、該ロック部材を施錠・解錠状態を表示する施・解錠表示部を備えて構成されることを特徴とする荷物の係留保持構造。
【請求項３】
請求項２において、前記ケース体は、前記個別置き領域の設定数に応じて増減並設できるよう、隣接するケース体の側面同士を相互に接触させ、または、離間可能に個別に構成されていることを特徴とする荷物の係留保持構造。
【請求項４】
請求項２または３において、前記施・解錠表示部は、錠操作ボタンに兼用されていることを特徴とする荷物の係留保持構造。
【請求項５】
請求項１乃至４の何れかにおいて、前記操作部は、ＩＣカードの識別情報を認識する読み取り部と、該読み取り部の読み取り情報、利用時間、利用料金などの所定情報を表示する表示部と、前記チェーンロックの錠操作を可能とする押しボタンと、前記係留管理部を備えて構成されることを特徴とする荷物の係留保持構造。
【請求項６】
請求項５において、前記操作部は、前記各チェーンロックとは別に備えられ、前記押しボタンを、前記各チェーンロック毎に付した通し番号に対応した番号を付して、各チェーンロックに設けられた施・解錠表示部の表示状態を離れた位置から確認しながら、それぞれの錠操作を可能に集合させて複数配設すると共に、前記表示部に、利用可能なチェーンロックの番号を表示するよう構成されていることを特徴とする荷物の係留保持構造。
【請求項７】
請求項１乃至６の何れかに記載の荷物の係留保持装置は、前記操作部がＩＣカードの識別情報を認識する読み取り部を備え、所定の利用時間が無料に設定され、前記係留管理部が利用開始時間をカウントし、前記無料の設定時間経過後の利用時間を有料に設定せしめて、読み取り部を介してＩＣカードから料金徴収する係留システムを備えることを特徴とする荷物の係留保持構造。
【手続補正２】
【補正対象書類名】明細書
【補正対象項目名】発明の名称
【補正方法】変更
【補正の内容】
【発明の名称】荷物の係留保持構造
【手続補正３】
【補正対象書類名】明細書
【補正対象項目名】０００５
【補正方法】変更
【補正の内容】
【０００５】
本発明は、上記の如き問題点を一掃すべく創案されたものであって、携行する荷物を一時的に係留保持するものでありながら、鉄道、空港等の通路、ロビーなどにおける構内共有スペースの所定個所の床面と壁面を、荷物の置き個数に応じて個別置き領域として割り当てし、その割り当て空間領域をパネルなどで区画することなく、その壁面に任意数のチェーンロックを並設して採用することができるので、構内ショップやトイレ、飲食店、待合所などの入り口近くや、ロビーの大柱などの所望個所に、所望の数だけ容易に増減設定して配設できるだけでなく、係留された荷物が隣接する個別置き領域にはみ出して係留する共同利用が可能となり、スーツケースやキャリーバッグ等の旅行カバン、ゴルフバッグ、ベビーカーなどの携行する大きさの異なる種々の大型荷物であっても、手軽に一時預け置き状態で係留保持することができ、係留利用効率を向上させることができるばかりか、係留荷物が無く利用されていない場合には、通行を妨げることもなく本来の共有スペースとして機能させることのできる荷物の係留保持構造を提供することを目的とする。
【手続補正４】
【補正対象書類名】明細書
【補正対象項目名】０００６
【補正方法】変更
【補正の内容】
【０００６】
上記課題を解決するために本発明の荷物の係留保持構造は、各個の荷物をそれぞれ一時置き保持する複数の個別置き領域を有し、該個別置き領域毎にそれぞれに配設される荷物を係留するためのチェーンロックと、各チェーンロックの施錠、解錠操作を可能とする操作部と、荷物の係留時間を管理する係留管理部とを備える係留保持装置によって荷物を一時的に係留保持可能に構成するに、前記各個別置き領域は、設定する領域数に応じて、鉄道、空港等の通路、ロビーなどにおける共有スペースの所定個所の床面と壁面とを割り当てし、Ｌ字状の空間領域によって形成せしめ、前記各個別置き領域に配設されるチェーンロックを、前記床面から所定の高さ位置となる前記壁面に並設すると共に、前記隣接する個別置き領域同士は、各個別置き領域との間を区画することなく、相互の置き領域を共同利用可能に設定して、１の個別置き領域に係留された荷物を、隣接する個別置き領域にはみ出して係留することを許容し、旅行カバン、ゴルフバッグ、ベビーカーなどの大型荷物の係留を可能とすべく構成したことを特徴とするものである。
【手続補正５】
【補正対象書類名】明細書
【補正対象項目名】０００７
【補正方法】変更
【補正の内容】
【０００７】
本発明は、上記のように構成したことにより、携行する荷物を一時的に係留保持するものでありながら、鉄道、空港等の通路、ロビーなどにおける構内共有スペースの所定個所の床面と壁面を、荷物の置き個数に応じて個別置き領域として割り当てし、その割り当て空間領域をパネルなどで区画することなく、その壁面に任意数のチェーンロックを並設して採用することができるので、構内ショップやトイレ、飲食店、待合所などの入り口近くや、ロビーの大柱などの所望個所に、所望の数だけ、その構内施設の状況に応じて既存の共有スペースを置き領域として割り当て増減設定するだけで、割り当てスペースを複数に分散させるなど選択的に、かつ、大がかりな施工を要することなく容易に採用できるだけでなく、係留された荷物が隣接する個別置き領域にはみ出して係留する共同利用が可能となり、複数の荷物を１つの係留チェーンへの纏め置き係留や、スーツケースやキャリーバッグ等の旅行カバン、ゴルフバッグ、ベビーカーなどの携行する大きさの異なる種々の大型荷物であっても、構内のショップやトイレ、飲食店、待合所といった施設を利用する際に、それら出入り口近傍に設置された係留保持装置を利用して、利用者に荷物のはみ出し置きしてはいけないという既成概念を抱かせずに、手軽に一時預け置き状態で係留保持することができ、はみ出し荷物に対する利用へのトラブルや苦情が避けられ、盗難の心配をすることなく用事をすませることができるようになり、設置場所との連携作用による係留利用効率を向上させることができる。
しかも、装置全体を薄型でコンパクト化が図られたものに製作し得て、壁面から殊更突出することなく配設でき、チェーンロックが設置された上側壁面を含むＬ字状の空間領域全体を置き領域として有効利用できるだけでなく、係留荷物が無く利用されていない場合には、装置が通路を塞いで通行を妨げることもなく、割り当てされた共有スペースを通路やロビーなど本来の共有スペースとして機能させることができ、安価な導入コストをもって容易に採用できることと相俟って、電池電源の利用も可能とし得て適用場所の自由度が高まり、導入意欲を喚起することができる。
【手続補正６】
【補正対象書類名】明細書
【補正対象項目名】００１９
【補正方法】変更
【補正の内容】
【００１９】
叙述の如く構成された本発明の実施の形態において、いま、携行する荷物を一時的に係留して保持するのであるが、本発明にかかる荷物の係留保持構造は、各個の荷物をそれぞれ一時置き保持する複数の個別置き領域Ｓ１〜Ｓｎを有し、該個別置き領域Ｓ１〜Ｓｎ毎にそれぞれに配設される荷物を係留するためのチェーンロック２…と、各チェーンロック２…の施錠、解錠操作を可能とする操作部３と、荷物の係留時間を管理する係留管理部３５とを備える係留保持装置１によって荷物を一時的に係留保持可能に構成するに、各個別置き領域Ｓ１〜Ｓｎは、設定する領域数に応じて、鉄道、空港等の通路、ロビーなどにおける共有スペースの所定個所の床面と壁面とを割り当てし、Ｌ字状の空間領域によって形成せしめ、各個別置き領域Ｓ１〜Ｓｎに配設されるチェーンロック２…を、床面から所定の高さ位置となる前記割り当てした壁面に並設すると共に、隣接する個別置き領域Ｓ同士は、各個別置き領域Ｓ１〜Ｓｎとの間を区画することなく、相互の置き領域Ｓを共同利用可能に設定して、１の個別置き領域Ｓに係留された荷物を、隣接する個別置き領域Ｓにはみ出して係留することを許容し、旅行カバン、ゴルフバッグ、ベビーカーなどの大型荷物の係留を可能とすべく構成されている。